(57)【要約】      （修正有）【課題】強力な保持力を有し、また、物品の側面が特別な形状であっても当該物品を好適に保持する物品ホルダーを提供する。【解決手段】取付ベース２に固定される固定板４と、固定板４に回転軸を中心に回転可能に設けられている回転板８と、固定板４と回転板８の間に設けられ、回転板８の回転を所定角度ごとに規制する回転規制機構と、回転板８の前面に設けられたアームベース１１にその幅方向Ｘに相対伸縮自在に設けられている一対のスライドアーム１５ａ，１５ｂと、一対のスライドアーム１５ａ，１５ｂのそれぞれの先端部に幅方向Ｘの内側に回動可能に設けられ、物品を互いの間で挟んで保持するチャック２２と、チャック２２を幅方向Ｘの外側に向けて回動付勢するバネ部材と、各チャック２２の対向する内面に設けられている弾性材からなるクッションパッド２５とを備えた。【選択図】図１
0003151546.tif 000002
【実用新案登録請求の範囲】
【請求項１】
被取付体の任意の位置に取付ベースを介して取り付けられ、前記任意の位置にて物品を保持するための物品ホルダーであって、
前記取付ベースに固定される固定板と、
前記固定板に回転軸を中心に回転可能に設けられている回転板と、
前記固定板と前記回転板の間に設けられ、前記回転板の回転を所定角度ごとに規制する回転規制機構と、
前記回転板の前面に設けられたアームベースにその幅方向に相対伸縮自在に設けられている一対のスライドアームと、
前記一対のスライドアームのそれぞれの先端部に前記幅方向の内側に回動可能に設けられ、前記物品を互いの間で挟んで保持するチャックと、
前記チャックを前記幅方向の外側に向けて回動付勢するバネ部材と、
前記各チャックの対向する内面に設けられている弾性材からなるクッションパッドと、
を備えていることを特徴とする物品ホルダー。
【請求項２】
前記クッションパッドには前記幅方向と直交する方向に伸びるとともに前後方向に並んだ複数の凸条が設けられていることを特徴とする請求項１記載の物品ホルダー。
【請求項３】
前記アームベースにはピニオンが設けられ、前記一対のスライドアームの対向する内面には前記アームベースにて前記ピニオンを挟んで該ピニオンと噛合しているラックが設けられていることを特徴とする請求項１又は２記載の物品ホルダー。
【考案の詳細な説明】
【技術分野】
【０００１】
本考案は、携帯電話機や携帯型オーディオ・ビジュアル機器などの物品を保持するための物品ホルダーに関する。
【背景技術】
【０００２】
携帯電話機や携帯型オーディオ・ビジュアル機器などは近年急速にその技術が発達しており、本来の用途に加えて、テレビやビデオ映像なども表示することができるようになっている。そして、これらの携帯電話機や携帯型オーディオ・ビジュアル機器などの物品を主に自動車室内などにて保持するための物品ホルダーが考えられている。
【０００３】
従来、物品ホルダーとして、例えば下記特許文献１に開示されているものがある。この物品ホルダーは、物品の両側面を一対のアームで挟んで保持する構造となっている。また、一対のアームのうち、一方は固定アーム、他方は可動アームとなっており、各アームの物品の保持面には弾性材からなる髭状の突起が設けられている。しかし、この物品ホルダーは、主に縦長矩形状の物品を保持するものであり、横長矩形状の物品を保持するときには、取付ベースに対してアームを備えた部分を取り外し、９０°回転させてから再び取り付けなければならず、大変煩雑な作業が必要であった。
【０００４】
このような不具合を解消するものとして、例えば下記特許文献２に開示されている物品ホルダーがある。この物品ホルダーは、一対のアームの両方が共に伸縮可能に構成されており、アームを備えた部分（リアケース）が回転可能に設けられていることによって一対のアームの間で保持されている物品を自由に回転させることができる。
【先行技術文献】
【特許文献】
【０００５】
【特許文献１】特開平１０−１８１４６２号公報
【特許文献２】特開２００８−２０２７７１号公報
【考案の開示】
【考案が解決しようとする課題】
【０００６】
しかしながら、上述した従来（上記特許文献２）の物品ホルダーでは、物品をほとんどアームの髭状突起の弾性だけで保持するのでその保持力はあまり強いものではなかった。そして、このような物品ホルダーは、通常、自動車室内のダッシュボードなどに取り付けて使用するものであり、走行する自動車には振動が生じるため、この振動によって物品が脱落する可能性があった。
【０００７】
また、一対のアームは、それぞれ背面部から略直角に突出しており、そのため、直方体状の物品は好適に保持することができるが、例えば物品の側面が傾斜していたりすると保持力が弱くなることがあった。
【０００８】
そこで本考案は、上記状況に鑑みてなされたもので、強力な保持力を有し、また、物品の側面が特別な形状であっても当該物品を好適に保持する物品ホルダーを提供することを目的としている。
【課題を解決するための手段】
【０００９】
次に、上記の課題を解決するための手段を、実施の形態に対応する図面を参照して説明する。
本考案の請求項１記載の物品ホルダーは、被取付体の任意の位置に取付ベース２を介して取り付けられ、前記任意の位置にて物品を保持するための物品ホルダー１であって、
前記取付ベース２に固定される固定板４と、
前記固定板４に回転軸を中心に回転可能に設けられている回転板８と、
前記固定板４と前記回転板８の間に設けられ、前記回転板８の回転を所定角度ごとに規制する回転規制機構と、
前記回転板８の前面に設けられたアームベース１１にその幅方向Ｘに相対伸縮自在に設けられている一対のスライドアーム１５ａ，１５ｂと、
前記一対のスライドアーム１５ａ，１５ｂのそれぞれの先端部に前記幅方向Ｘの内側に回動可能に設けられ、前記物品を互いの間で挟んで保持するチャック２２と、
前記チャック２２を前記幅方向Ｘの外側に向けて回動付勢するバネ部材２４と、
前記各チャック２２の対向する内面に設けられている弾性材からなるクッションパッド２５と、
を備えていることを特徴としている。
【００１０】
請求項２記載の物品ホルダーは、前記クッションパッド２５には前記幅方向Ｘと直交する方向に伸びるとともに前後方向に並んだ複数の凸条２６が設けられていることを特徴としている。
【００１１】
請求項３記載の物品ホルダーは、前記アームベース１１にはピニオン１２が設けられ、前記一対のスライドアーム１５ａ，１５ｂの対向する内面には前記アームベース１１にて前記ピニオン１２を挟んで該ピニオン１２と噛合しているラック１７ａ，１７ｂが設けられていることを特徴としている。
【考案の効果】
【００１２】
本考案の物品ホルダーによれば、アームベースの幅方向（つまり、保持物品の幅方向）に相対伸縮自在に設けられている一対のスライドアームによって様々な物品の幅サイズに対応することができる。また、一対のスライドアームのそれぞれの先端部に設けられているチャックが幅方向の内側に回動し、その回動が幅方向の外側に付勢されているため、クッションパッドの弾性力とあいまって物品をソフトに、且つ強力に保持することができる。さらに、回転板が回転軸を中心に回転することによって保持している物品の向きを容易に変更することができる。
【００１３】
また、クッションパッドに設けられている凸条によって物品を更にソフトに保持することができるようになる。
【００１４】
さらに、アームベースに設けられているピニオンに、一対のスライドアームのそれぞれに設けられているラックが噛合していることによって、二つのスライドアームの相対伸縮が可能となる。
【図面の簡単な説明】
【００１５】
【図１】本考案による物品ホルダーの実施の形態の正面図、平面図、底面図、側面図及び平面図における一部拡大図である。
【図２】同実施の形態の分解斜視図である。
【図３】同実施の形態の上方よりの斜視図である。
【図４】同実施の形態の下方よりの斜視図である。
【図５】同実施の形態を９０°回転させた状態の斜視図である。
【図６】同実施の形態のスライドアームを伸縮させた（縮めた）状態の斜視図である。
【考案を実施するための形態】
【００１６】
以下、本考案の実施の形態を図面を参照して具体的に説明する。
この実施の形態の物品ホルダー１は、主に自動車室内のダッシュボードなどに取り付けて、携帯電話機や携帯型オーディオ・ビジュアル機器などの物品をその位置で保持するためのものである。
【００１７】
また、物品ホルダー１は、ダッシュボードなどの被取付体の任意の位置に取付ベース２を介して取り付けられる。なお、取付ベース２は、金属板がプレス形成されたものであって、図２に示すように、その一端部２ａが円形の両側部を切り取った形状をなしており、他端部２ｂが横長の略矩形状をなしており、中間部２ｃが縦長の略矩形状をなしている。取付ベース２は、一端部２ａが後述する固定板４の背面に両面テープなどの粘着材３ａによって取り付けられ、他端部２ｂが被取付体に両面テープなどの粘着材３ｂによって取り付けられる。
【００１８】
各図（特に図２）に示すように、物品ホルダー１は、固定板４と、回転板８と、アームベース１１と、一対のスライドアーム１５ａ，１５ｂと、チャック２２と、クッションパッド２５とを備えている。
【００１９】
固定板４は、略円板形状に形成されており、取付ベース２に粘着材３ａを介して固定されている。また、固定板４には円形の凹部５が設けられており、その中央に孔部６が設けられている。さらに、固定板４の前面には、孔部６の周縁に４５°の間隔をあけて八個の小さい円形凹部７が設けられている。
【００２０】
回転板８は、固定板４の円形凹部５と嵌合可能な略円板形状に形成されている。また、回転板８の中央にはナットＮが嵌合する六角凹部９が設けられている。そして、回転板８は、固定板４の円形凹部５に嵌合された状態で六角凹部９に嵌合されたナットＮに対して固定板４の背面からビスＢを締めることによって固定板４に略一体となり、ナットＮ（及びビスＢ）を回転軸として固定板４に回転可能に設けられている。
【００２１】
回転板８の六角凹部９の両側部には、六角凹部９の両側部を残して周囲が切り離されたバネ片１０が設けられている。また、図示しないが、回転板８の背面において、各バネ片１０の自由端となる先端部１０ａには前記固定板４の小さい円形凹部７と嵌合する突起が設けられている。
【００２２】
固定板４と回転板８の間にて、固定板４の小さい円形凹部７と、回転板８のバネ片１０（突起）とは、回転板８の回転を所定角度ごと（この実施の形態では４５°ごと）に規制する回転規制機構を構成している。この回転規制機構によれば、回転板８が回転すると、バネ片１０の突起が４５°ごとに固定板８の小さい円形凹部７と嵌合し、回転板８の回転を規制するようになる。
【００２３】
アームベース１１は、両側端部が開放された横長円形筒状に形成されており、前記回転板８の前面に設けられている。また、アームベース１１は、図示しないビスによって回転板８に略一体となって設けられている。さらに、アームベース１１にはピニオン１２が設けられている。このピニオン１２は、アームベース１１の背面の中央に突設されている図示しないピンを孔１２ａに挿通させて取り付けられている。
【００２４】
アームベース１１内には、その両側端部に連通しているガイド部１３が設けられている。また、アームベース１１の前面は、中央部分を残してその長手方向（幅方向Ｘ）の左右が開放された窓部１４が設けられている。
【００２５】
一対のスライドアーム１５ａ，１５ｂは、アームベース１１の幅方向Ｘに伸びた各スライド部１６ａ，１６ｂがアームベース１１の両側端部からガイド部１３内に挿通され、幅方向Ｘに伸縮自在に設けられている。一方のスライドアーム１５ａは、スライド部１６ａが上半部に設けられており、その内面にはラック１７ａが設けられている。他方のスライドアーム１５ｂは、スライド部１６ｂが下半部に設けられており、その内面にはラック１７ｂが設けられている。また、一対のスライドアーム１５ａ，１５ｂの各スライド部１６ａ，１６ｂのラック１７ａ，１７ｂが、アームベース１１のピニオン１２を挟んでこのピニオン１２にそれぞれ噛合していることによってスライドアーム１５ａ，１５ｂは相対伸縮するようになる。さらに、各スライド部１６ａ，１６ｂには、スライドアーム１５ａ，１５ｂが最も縮んだときにアームベース１１の窓部１４を遮蔽するシャッタ部１８が設けられている。
【００２６】
一対のスライドアーム１５ａ，１５ｂには、各スライド部１６ａ，１６ｂの端部から略直交して前方に突出しているアーム部１９が設けられている。アーム部１９の先端部には、スライド部１６ａ，１６ｂの長手方向と略直交し、且つアーム部１９の突出方向と略直交する軸部２０が設けられている。また、アーム部１９の内側の面には略矩形の溝部２１が設けられている。
【００２７】
チャック２２は、平面視で略扇形状をなし、アーム部１９を挟み込む高さに形成されている。また、チャック２２には挿通孔２３が設けられており、この挿通孔２３にアーム部１９の軸部２０が挿通されることで幅方向Ｘの内側に回動可能に設けられている。さらに、チャックの対向する内面は前後方向の後側に向けて傾斜している。この（チャック２２が傾斜した）状態において、チャック２２とアーム部１９の間に所定角度に屈曲された略板状のバネ部材２４が設けられている。バネ部材２４は、その半部がアーム部１９の溝部２１に挿通されて固定され、チャック２２を幅方向Ｘの外側に向けて回動付勢する。
【００２８】
クッションパッド２５は、ゴムなどの弾性材からなり、チャック２２の対向する内面に設けられている。クッションパッド２５には、同じくゴムなどの弾性材からなり、幅方向Ｘに伸びるとともに、前後方向に並んだ複数の凸条２６が設けられている。これらの凸条２６は、前後方向の後側に向けて所定角度に傾斜している。
【００２９】
上述したスライドアーム１５ａ，１５ｂのうち、他方のスライドアーム１５ｂには内面に設けられたラック１７ｂの他に、その内面と反対側の外面にもラック２７が設けられている。また、アームベース１１の下面には、図示しない矩形の孔が設けられるとともに、この孔に沿って幅方向Ｘに伸びたガイドレール２８が設けられている。アームベース１１の下面には、ガイドレール２８に沿って移動するスライダー２９が設けられている。さらに、スライダー２９の裏面には凸部３０が設けられている。また、アームベース１１とスライダー２９の間には、ラック２７に噛合可能な突起部３２を有する略矩形ブロック状のロック部材３１が設けられており、スライダー２９の移動によってロック部材３１が押し上げられ、突起部３２がラックに噛合してロックし、この結果、一対のスライドアーム１５ａ，１５ｂをその伸縮状態で固定する。
【００３０】
上述した実施の形態によれば、アームベース１１の幅方向Ｘに相対伸縮自在に設けられている一対のスライドアーム１５ａ，１５ｂによって様々な物品の幅サイズに対応することができる。また、一対のスライドアーム１５ａ，１５ｂのそれぞれの先端部に設けられているチャック２２が幅方向Ｘの内側に回動し、その回動が幅方向Ｘの外側に付勢されているため、クッションパッド２５の弾性力とあいまって物品をソフトに、且つ強力に保持することができる。さらに、回転板８が回転軸を中心に回転することによって保持している物品の向きを容易に変更することができる。
【００３１】
また、クッションパッド２５に設けられている凸条２６によって物品を更にソフトに保持することができるようになる。
【００３２】
さらに、凸条２６が前後方向の後側に傾斜していることによって物品を前側から取り付けることが容易になるとともに、物品を取り付けた後はこの物品が前方へ脱落することを防止するようになる。
【００３３】
また、アームベース１１に設けられているピニオン１２に、一対のスライドアーム１５ａ，１５ｂの各スライド１６ａ，１６ｂに設けられているラック１７ａ，１７ｂが噛合していることによって、二つのスライドアーム１５ａ，１５ｂの相対伸縮が可能となる。
【００３４】
さらに、スライダー２９の移動によって押し上げられたロック部材３１の突起部３２がスライドアーム１５ｂのラック２７に噛合することで、一対のスライドアーム１５ａ，１５ｂをその伸縮状態で固定することが可能となる。
【００３５】
なお、上述した実施の形態では、回転規制機構は、固定板４の孔部６の周縁に４５°の間隔をあけて８個の小さい円形凹部７が設けられていることで回転板８の回転を４５°ごとに回転規制する構成としているが、小さい円形凹部７の数量などはこれに限定せず、例えば６個の小さい円形凹部７が６０°の間隔をあけて設けられている構成としてもよいし、例えば１２個の小さい円形凹部７が３０°の間隔をあけて設けられている構成としてもよい。小さい円形凹部７の数量を減らせば、回転板８の回転を大まかな角度で規制することになるが、小さい円形凹部７を減らした分だけ各小さい円形凹部７の径を大きくすることができるようになる。これに伴い、バネ片１０の先端部１０ａに設けられている突起（不図示）も大きく形成し、この突起と小さい円形凹部７の接地面積が大きくなり、突起と小さい円形凹部７の嵌合を強くすることができる。反対に、小さい円形凹部７の数量を増やせば、回転板８の回転を更に細かい角度で規制することができ、これにより、ダッシュボードなどのような平坦面の少ない場所に取付ベース２が斜めに取り付けられていても、物品を正しい向きで保持することができるようになる。
【００３６】
また、上述した実施の形態では、物品ホルダー１を自動車室内のダッシュボードに取り付けて使用することとしているが、被取付体として家庭やオフィスなどの一般的な机などの身近なものに取り付けて使用することもできる。
【符号の説明】
【００３７】
１…物品ホルダー
２…取付ベース
４…固定板
８…回転板
１１…アームベース
１２…ピニオン
１５ａ，１５ｂ…一対のスライドアーム
１７ａ，１７ｂ…ラック
２２…チャック
２４…バネ部材
２５…クッションパッド
２６…凸条
Ｘ…（アームベースの）幅方向
【図１】
0003151546.tif 000003
【図２】
0003151546.tif 000004
【図３】
0003151546.tif 000005
【図４】
0003151546.tif 000006
【図５】
0003151546.tif 000007
【図６】
0003151546.tif 000008